(57)【要約】【課題】簡単な操作でほとんど瞬時に止水し、また復元することができるものとし、従来はバルブ様としていたものを吸引作用で行なうため、損傷も少なく、工事の能率向上とスピードアップが図れ、格別な熟練性がなくとも誰もが作業することが可能とした水道Ｔ字管用の止水用具とする。【解決手段】下端にフランジ部を有する筒体と、その筒体内に挿入された回転シャフトと、その回転シャフトの筒体より突出された先端に嵌装された円板体と、その円板体と前記フランジ間に装備され、中間部分をくびれさせたゴム製の作動部材から成ることとし、前記した回転シャフトの先端と円板体との間にはパッキン部材を備えていることとする。【選択図】　　　　　図１
2004132420.tif 000002
【特許請求の範囲】
【請求項１】
下端にフランジ部を有する筒体と、その筒体内に挿入された回転シャフトと、その回転シャフトの筒体より突出された先端に嵌装された円板体と、その円板体と前記フランジ間に装備され、中間部分をくびれさせたゴム製の作動部材から成ることを特徴とする水道Ｔ字管用の止水用具。
【請求項２】
前記した回転シャフトの先端と円板体との間にはパッキン部材を備えていることを特徴とする請求項１に記載の水道Ｔ字管用の止水用具。
【発明の詳細な説明】
【０００１】
【発明の属する技術分野】
本発明は水道Ｔ字管用の止水用具に関し、既設のＴ字管の取り外しや交換に際し、内部を流通している水を止めるための止水用具に関する。
【０００２】
【従来の技術】
出願人は本発明と関連すると思われる公知文献を予め調査したが、格別に発見することはできなかった。
【０００３】
従来より、特に上水道配管の交換や修理に際してはその管内を流れる水を止める必要性があり、種々の工法や装置が用いられているが、いずれも工費が嵩み、また、完全な止水は困難でどうしても水漏れが発生してしまうもので、工事の能率が悪く、正常状態への復元までに多くの時間と無駄な大量の水の通水が必要とされるものであった。
【０００４】
【発明の目的】
そこで、本発明は上記した従来の実情、問題点に着目してなされたもので、かかる問題点を解消して、簡単な操作でほとんど瞬時に止水し、また復元することができるものとし、従来はバルブ様としていたものを吸引作用で行なうため、損傷も少なく、工事の能率向上とスピードアップが図れ、格別な熟練性がなくとも誰もが作業することが可能とした水道Ｔ字管用の止水用具を提供することを目的としている。
【０００５】
【課題を解決するための手段】
この目的を達成するために、本発明に係る水道Ｔ字管用の止水用具は下端にフランジ部を有する筒体と、その筒体内に挿入された回転シャフトと、その回転シャフトの筒体より突出された先端に嵌装された円板体と、その円板体と前記フランジ間に装備され、中間部分をくびれさせたゴム製の作動部材から成ることを特徴とし、前記した回転シャフトの先端と円板体との間にはパッキン部材を備えていることを特徴としている。
【０００６】
【作用】
上記した構成としたことによって、回転シャフトの作用で円板体を引き上げると、ゴム製の作動部材（パッド）が縮められ、管内に通水に対して負圧を加えることとなり、その通水を停止させることができる。また、逆に回転シャフトを押し戻すことで前記した負圧は解消され、即時に通水状態を復元させ、開通させることができるのであり、非常に簡単な操作で何人でも容易に作業を行なうことができることとなり、作業がスピードアップされ、能率も大きく向上することとなるのである。
【０００７】
【発明の実施の形態】
次に、本発明の好ましい実施の一形態を図面を参照して説明する。図１は本発明を実施した止水用具の全体を示す正面図、図２は同じく要部断面図、図３は同じく要部斜視図、図４は同じく要部の使用状態を示す断面図である。
【０００８】
これらの図にあって１は本発明を実施した止水用具本体を示し、２は対象となる水道Ｔ字管を示している。前記した止水用具本体１はステンレス製の筒体３を有しており、この筒体３の下端には段状に形成されたフランジ部４が一体に形成されている。
【０００９】
また、前記した筒体３内には回転シャフト５が貫通挿入されているもので、この回転シャフト５の上端寄りにはハンドルバー６をセットするための貫通孔７が軸芯方向と直交して穿設されている。
【００１０】
さらに、前記した回転シャフト５の下端寄りには前記したフランジ部４とその外径を略同一としたステンレス製の円板体８が嵌装されている。回転シャフト５の下端寄りでこの円板体８より上部の位置には抜け止め体９が備えられ、回転シャフト５が抜落してしまうことを防止している。
【００１１】
また、回転シャフト５の下端には小円板体１０が一体に設けられており、この小円板体１０と前記した円板体８との間にはダブルパッキン１１が設けられている。
【００１２】
そして、前記したフランジ部４と円板体８との間には中央にくびれ部１２ａを形成したゴム製、それもＳＢＲ製の作動部材（パッド）１２がセットされている。この作動部材（パッド）１２の外径はフランジ部４及び円板体８の外径と略一致されるものとされている。
【００１３】
さらに、この作動部材（パッド）１２の上方開口縁は内方に向けて略４５度のテーパ状とされ、フランジ部４の底面に形成されたテーパ面４ａとフィットされるようになっているもので、下方開口縁は略直角に形成され、円板体８の外周縁上部に当接されている。
【００１４】
本実施の形態にかかる止水用具本体１は上記のように構成されている。この使用方法は貫通孔７にハンドルバー６を挿し込んでそのハンドルバー６の両端を持った状態で止水用具本体１の下方部分を水道Ｔ字管２の突出部分の開口から内部に圧嵌入する。この際、回転シャフト５の下端は円板体８とやや離れた状態で抜け止め体９により支持された状態となっている。また、この圧嵌入の際に既設のバルブＶが存在していればこれを利用して止めることとなる。
【００１５】
少なくとも作動部材（パッド）１２が管口内に嵌入された時点でハンドルバー６によって回転シャフト５を引き上げ、ダブルパッキン１１を介して小円板体１０を円板体８に押し当て、なおも回転シャフト５を引き上げることで作動部材（パッド）１２をそのくびれ部１２ａにおいて縮み変形させる。この変形は回転シャフト５を回転させながら、作動部材（パッド）１２を捻転させるようにするとより効果的であるが、縮み変形後に捻っても、捻ってから縮ませるように引き上げてもよい。
【００１６】
上記した作用によって、管内には負圧が発生し、水を吸い上げた状態として通水を停止させることとなる。この停止状態はハンドルバー６をさらに強く捻って作動部材（パッド）１２の捻転した縮み状態を負圧力によって維持（ロック）することができる。
【００１７】
また、逆に回転シャフト５をハンドルバー６に操作し、押してやると前記した負圧状態が解消され、通水を復元することができる。これらの作業には常にフランジ部４を有する筒体３を不動の固定状態としておく必要がある。
【００１８】
【発明の効果】
本発明に係る水道Ｔ字管用の止水用具は上述のように構成され、作用する。そのため、従来にない負圧を利用したものとなっており、簡単な作業、操作で止水または復元としての通水を行なうことができ、格別な熟練性も必要としない。そして、損傷も少なく作業の大幅な能率向上とスピードアップが図れるものとなっている。
【図面の簡単な説明】
【図１】本発明を実施した止水用具の全体を示す正面図である。
【図２】要部断面図である。
【図３】要部斜視図である。
【図４】要部の使用状態を示す断面図である。
【符号の説明】
１　止水用具本体
２　水道Ｔ字管
３　筒体
４　フランジ部
４ａ　テーパ面
５　回転シャフト
６　ハンドルバー
７　貫通孔
８　円板体
９　抜け止め体
１０　小円板体
１１　ダブルパッキン
１２　作動部材
１２ａ　くびれ部
Ｖ　バルブ
【図１】
2004132420.tif 000003
【図２】
2004132420.tif 000004
【図３】
2004132420.tif 000005
【図４】
2004132420.tif 000006